(57)【要約】【課題】手術用ドレープに穴開きや破れ等の損傷を与えることなく、最適位置に最適角度で、容易かつ確実に取り付けることができる手術用ドレープを提供する。【解決手段】ドレープ本体１の術野側の面（Ａ）に上下方向に亘って、受液パウチを取り付けるための襞部３が２本、間隔を開けて平行に形成され、ドレープ本体１に、患者の肩、肘あるいは膝を通す開口４が形成されている。【選択図】図１
2015002776.tif 000002
【特許請求の範囲】
【請求項１】
患者の術野とそれ以外の部分とを隔離するための手術用ドレープにおいて、
ドレープ本体の術野側の面に、手術の際に用いる各種部材を取り付けるための襞部が形成されていることを特徴とする手術用ドレープ。
【請求項２】
前記襞部は、前記ドレープ本体を術野側に襞折りすることによって形成されていることを特徴とする、請求項１に記載の手術用ドレープ。
【請求項３】
前記各種部材は、受液パウチであり、前記ドレープ本体には、患者の肩、肘あるいは膝を通す開窓部が形成されていることを特徴とする、請求項１または２に記載の手術用ドレープ。
【請求項４】
前記襞部は、間隔を開けて２本、平行に形成され、前記開窓部は、前記襞部間の前記ドレープ本体に形成されていることを特徴とする、請求項３に記載の手術用ドレープ。
【請求項５】
前記襞部の幅は、１ｃｍから１０ｃｍの範囲内であることを特徴とする、請求項１から４の何れか１つに記載の手術用ドレープ。
【請求項６】
前記襞部が形成された前記ドレープ本体の反術野側の面は、補強シートによって補強されていることを特徴とする、請求項１から５の何れか１つに記載の手術用ドレープ。
【請求項７】
前記補強シートは、粘着剤またはヒートシールによって前記ドレープ本体の反術野側の面に溶着されていることを特徴とする、請求項６に記載の手術用ドレープ。
【発明の詳細な説明】
【技術分野】
【０００１】
この発明は、手術用ドレープ、特に、肩、肘あるいは膝等の関節を手術する際に使用する受液パウチ等の手術の際に使用する各種部材を、手術用ドレープに穴開きや破れ等の損傷を与えることなく、最適位置に最適角度で、容易かつ確実に取り付けることができる手術用ドレープに関するものである。
【背景技術】
【０００２】
手術用ドレープは、手術室内で清潔野と規定される領域において、不潔と規定される患者や医療用装置等と、当該清潔野の領域（空間）とを隔離するために用いられる覆布である。特に、外科手術の際、切開される箇所（術野）を清潔に保つことは、患者が術中に何らかの菌等から感染することを予防する上で重要であり、術野と、それ以外を不潔と規定される患者体表面とを、通常、開窓部（手術用ドレープにあらかじめ設けられている穴）を設けた手術用ドレープにより隔離する必要がある。また、手術の際に飛散する血液や体液等をバリヤするために、患者の術野とそれ以外の部分とを隔離するものでもある。
【０００３】
なお、手術室内には、手術を受ける患者が寝かせられる手術台が設置されており、患者に手術用ドレープを被せた状態の手術台周囲がいわゆる清潔野とされている。この清潔野とは、例えば、当該手術において、執刀医、器械出し看護師および手術助手がその手術に関する活動を行うことが認められている、手術室内の一定の領域をいう。通常、清潔野は、手術台（患者術野）を中心とした空間的（三次元的）な領域である。
【０００４】
これに対し、手術に関わる他の看護師であるいわゆる外回り看護師等が活動する手術室内の清潔野以外の領域等は、不潔野と称される。例えば、医師の腰より下方位置、および、手術台の真下付近の床であっても、清潔野以外の不潔野となる。
【０００５】
なお、ここに不潔野とは、一般にいう「不潔な場所」という意味ではない。
【０００６】
例えば、肩の関節を手術する場合には、図５に示すように、水平もしくはビーチチェア状に倒した手術台１１に仰向け（仰臥位）に寝かせた患者１２に近接させて手術用ドレープ１３をカーテン状に吊り下げ、手術用ドレープ１３に形成した開口１４を通して患者１２の肩１５を術野側（清潔側）に露出させ、かくして、肩１５とそれ以外の部分とを隔離する。以下、このようにカーテン状に吊り下げた手術用ドレープを垂直隔離ドレープと称する。
【０００７】
また、図６に示すように、手術台に横向き（側臥位）に寝かせた患者１２に手術用ドレープ２３を被せ、上方に牽引した患者１２の腕を肩１５から開窓部２４に通して術野（清潔野）を露出させ、かくして、肩１５とそれ以外の部分とを隔離する。この時、術野でない患者１２の腕の内、肩１５以外の部分も不潔野となるため、例えば、清潔なストッキネット２５等で覆って清潔野としている。なお、図６中、番号１６は、後述するする受液パウチである。
【０００８】
上記垂直隔離ドレープによれば、患者自身の腕の重みによって関節内に空間ができることによる広い視野が確保できると共に、前かがみで手術を行う必要がないので、医師は、負担が掛からない姿勢で手術が行える点で優れている。
【０００９】
しかし、垂直隔離ドレープによれば、手術用ドレープ１３をカーテン状に吊り下げて使用するために、手術の際に飛散する血液や体液は、手術用ドレープ１３を伝って流れ落ちて周囲を汚すおそれがある。特に、関節鏡視下手術を行う場合、手術時に流れ出る血液や体液等によって、内視鏡の観察視野が不鮮明になることを防止するために、関節内に多量の生理食塩水を流している。
【００１０】
この問題を解決するために、血液、体液あるいは生理食塩水等の液体を回収する受液パウチを手術用ドレープ１３の術野側の面に取り付けている。
【００１１】
受液パウチの一例が特許文献１に開示されている。図７に示すように、この受液パウチ１６は、樹脂製でロート状に形成され、側面には、患者１２の肩１５が挿入される開口１７が形成されている。また、底部には、排出口１９が形成され、血液、体液あるいは生理食塩水等の液体１８を排出口１９に接続した排水管２０を介して受液パウチ１６外に排水することができるようになっている。そして、受液パウチ１６の入口２１の縁部には、入口２１を常時、開いた状態に保持するために、環状の形状保持バー２２が配されている。
【先行技術文献】
【特許文献】
【００１２】
【特許文献１】特開２０１１−２５４９４３号公報
【発明の概要】
【発明が解決しようとする課題】
【００１３】
上記受液パウチ１６を使用することによって、手術の際に流れ出る血液、体液あるいは生理食塩水等の液体１８を確実に回収することはできるが、以下のような問題があった。
【００１４】
従来、受液パウチ１６を手術用ドレープ１３に取り付けるには、受液パウチ１６を鉗子等により手術用ドレープ１３に直接取り付けたり、手術用ドレープ１３に不織布からなるタグ状あるいは短冊状の小片（以下、タグという。）を予め取り付けておき、このタグを介して受液パウチ１６の一部分を鉗子等で挟んで取り付けていた。
【００１５】
しかしながら、受液パウチ１６を手術用ドレープ１３に鉗子により直接取り付ける場合には、鉗子の把持力や受液パウチの重みにより手術用ドレープ１３に穴が開いて、手術用ドレープ１３のバリヤ性が損なわれるおそれがあった。
【００１６】
また、受液パウチ１６を手術用ドレープ１３に取り付けたタグを介して手術用ドレープ１３に取り付ける場合には、受液パウチ１６の取り付け箇所が制約されるので、手術に合わせて受液パウチ１６を最適位置に最適角度で取り付けることができないおそれがあった。なお、タグは、手術用ドレープ１３に接着等により取り付けられているので、受液パウチ１６の重量によりタグが剥がれるおそれがあった。
【００１７】
さらに、受液パウチ１６に大量の液体が溜まると、その重量によって受液パウチ１６の取り付け箇所の手術用ドレープ１３に局部的に引っ張り力が作用することや、手術中に医師の体（例えば、肘等）が受液パウチ１６に引っ掛かったりすることで、手術用ドレープ１３が破れて、手術用ドレープ１３のバリヤ性が損なわれるおそれや、タグが手術用ドレープ１３より外れて受液パウチが落ちるおそれがあった。
【００１８】
さらに、清潔野で清潔なものしか触れられない医師は、手術台よりも下方の不潔野と規定される領域に落ちた受液パウチ１６を自ら拾ったり持ち上げたりすることができず、手術の進行の妨げとなるおそれがあった。
【００１９】
なお、以上は、手術用ドレープ１３に受液パウチ１６を取り付ける場合であるが、受液パウチ１６以外に、手術の際に使用する電気メスのコード等の各種部材を取り付ける場合も同様な問題があった。
【００２０】
従って、この発明は、肩、肘あるいは膝等の関節を手術する際に使用する受液パウチ等の手術の際に使用する各種部材を、手術用ドレープに穴開きや破れ等の損傷を与えることなく、最適位置に最適角度で、容易かつ確実に取り付けることができる手術用ドレープを提供することを目的とする。
【課題を解決するための手段】
【００２１】
この発明は、上記目的を達成するためになされたものであり、下記を特徴とする。
【００２２】
請求項１に記載の発明は、患者の術野とそれ以外の部分とを隔離するための手術用ドレープにおいて、ドレープ本体の術野側の面に、手術の際に用いる各種部材を取り付けるための襞部が形成されていることに特徴を有するものである。
【００２３】
請求項２に記載の発明は、請求項１に記載の発明において、前記襞部は、前記ドレープ本体を術野側に襞折りすることによって形成されていることに特徴を有するものである。
【００２４】
請求項３に記載の発明は、請求項１または２に記載の発明において、前記各種部材は、受液パウチであり、前記ドレープ本体には、患者の肩、肘あるいは膝を通す開窓部が形成されていることに特徴を有するものである。
【００２５】
請求項４に記載の発明は、請求項３に記載の発明において、前記襞部は、間隔を開けて２本、平行に形成され、前記開窓部は、前記襞部間の前記ドレープ本体に形成されていることに特徴を有するものである。
【００２６】
請求項５に記載の発明は、請求項１から４の何れか１つに記載の発明において、前記襞部の幅は、１ｃｍから１０ｃｍの範囲内であることに特徴を有するものである。
【００２７】
請求項６に記載の発明は、請求項１から５の何れか１つに記載の発明において、前記襞部が形成された前記ドレープ本体の反術野側の面は、補強シートによって補強されていることに特徴を有するものである。
【００２８】
請求項７に記載の発明は、請求項６に記載の発明において、前記補強シートは、粘着剤またはヒートシールによって前記ドレープ本体の反術野側の面に溶着されていることに特徴を有するものである。
【発明の効果】
【００２９】
この発明によれば、ドレープ本体の術野側の面に、手術の際に用いる受液パウチ等の各種部材を取り付けるための襞部を形成することによって、各種部材を手術用ドレープに穴開きや破れ等の損傷を与えることなく、最適位置に最適角度で、容易かつ確実に取り付けることができる。
【００３０】
また、この発明によれば、襞部を間隔を開けて２本、平行に形成することによって、受液パウチを最適位置に最適角度で取り付けることができる。
【００３１】
また、この発明によれば、襞部の幅を１ｃｍから１０ｃｍの範囲内にすることによって受液パウチを容易かつ確実に取り付けることができる。
【００３２】
さらに、この発明によれば、襞部が形成されたドレープ本体の反術野側の面を補強シートにより補強することによって、手術用ドレープに生じる穴開きや破れ等の損傷をより確実に回避することができる。
【図面の簡単な説明】
【００３３】
【図１】この発明の手術用ドレープをカーテン状に吊るした状態を示す斜視図である。
【図２】補強シートによって補強した襞部を示す平面図であり、（ａ）は、補強シートをドレープ本体の反術野側の面に貼り付けた場合であり、（ｂ）は、補強シートを襞部内に挟み込んだ場合であり、（ｃ）は、襞部を２段に形成した場合である。
【図３】この発明の手術用ドレープの襞部に受液パウチを取り付けて手術を行う状態を示す斜視図である。
【図４】この発明の手術用ドレープの襞部に受液パウチを取り付けて手術を行う状態を、別の方向から見た斜視図である。
【図５】垂直隔離ドレープの開口を通して患者の肩を術野側に露出させた状態を示す斜視図である。
【図６】横向きに寝かせた患者に手術用ドレープを被せ、患者の肩を術野側に露出させた状態を示す斜視図である。
【図７】特許文献１に開示された受液パウチの使用状態を示す斜視図である。
【発明を実施するための形態】
【００３４】
この発明の手術用ドレープの一実施態様を、手術用ドレープに受液パウチを取り付ける場合を例にあげて、図面を参照しながら説明する。
【００３５】
図１は、この発明の手術用ドレープをカーテン状に吊るした状態を示す斜視図である。
【００３６】
図１に示すように、この発明の手術用ドレープは、ドレープ本体１の術野側の面（Ａ）に上下方向に亘って、受液パウチ２（図３、図４参照）を取り付けるための襞部３が間隔を開けて２本、平行に形成され、襞部３間のドレープ本体１に、患者の肩、肘あるいは膝を通す開窓部４が形成されているものからなっている。
【００３７】
襞部３の間隔は、例えば、肩の関節を手術する場合には、肩を挟むような間隔とする。襞部３は、ドレープ本体１を術野側に襞折り（山折り）することによって形成されている。襞部３は、ドレープ本体１を襞折りすることにより形成する以外に、襞部３を別に作り、これをドレープ本体１に貼り付けても良い。
【００３８】
襞部３の幅は、１ｃｍから１０ｃｍの範囲内であり、より好適は、３ｃｍから７ｃｍの範囲内であり、これにより受液パウチ２を容易かつ確実に取り付けることができる。襞部３が形成されたドレープ本体１の反術野側の面（Ｂ）に補強シート５を貼り付けることによって、ドレープ本体１に生じる穴開きや破れ等の損傷をより確実に回避することができる。
【００３９】
補強シート５は、アクリル系粘着剤またはヒートシールによってドレープ本体１の反術野側の面（Ｂ）に溶着により貼り付けるか、粘着テープを介して接着するか、あるいは、これらを組み合わせて貼り付けると良い。
【００４０】
補強シート５は、特に限定されないが、不織布でも良いし、ポリエチレン、ポリプロピレン等の樹脂製でも良いし、アルミ製でも良い。また、粘着剤（粘着テープ）を補強シートとして機能させても良い。
【００４１】
また、粘着剤としてアクリル系粘着剤を例に挙げたが、他のゴム系粘着剤等でも良く、特に限定されない。
【００４２】
補強シート５の貼り付け位置は、図２（ａ）に示すように、襞部３が形成された後の反術野側の面（Ｂ）であっても良いし、図２（ｂ）に示すように、襞部３の内側（反術野側の谷折り部）であっても良い。他の補強方法として、図２（ｃ）に示すように、襞部３を二重に形成し、各襞部３の内側（反術野側の谷折り部）であっても良い。なお、これらの補強方法を組み合わせても良い。
【００４３】
この発明の手術用ドレープに受液パウチ２を取り付けるには、図３、図４に示すように、受液パウチ２の縁部を２本の襞部３に鉗子６等によって挟み込む。別の取り付け方としては、襞部３に孔をあけて布鉗子で挟むか、紐で縛るか、襞部３に面ファスナーや粘着テープを取り付けておくこと方法等が考えられる。
【００４４】
なお、図示の受液パウチ２は、図７に示した受液パウチ１６と実質的に同様な構成からなっているが、側面に２個の開口７、８が形成されている点のみで相違する。肩の関節を手術する場合には、手首を一方の開口７から受液パウチ２内に通して、他方の開口８から抜き、肩９のみを受液パウチ２内に露出させる。なお、図３、図４は、患者の右肩の手術を図示しているものであるが、左肩の手術を行う場合には、開口８の位置が開口７を基点として対称の位置に形成したものを使用する。
【００４５】
図７に示した受液パウチ１６と同一番号は、同一物を示す。すなわち、１９は、ロート状の受液パウチ２の底部に形成された、液体１８の排水口、２０は、排水口１９に接続された排水管、２１は、受液パウチ２の入口、２２は、受液パウチ２の入口の縁部に配された環状の形状保持バーである。
【００４６】
襞部３は、ドレープ本体１の上下方向に亘って形成されているので、受液パウチ２の取り付け高さ位置は、襞部３の長さの範囲内で自在に調整することができる。しかも、２本の襞部３に受液パウチ２を取り付けるので、左右の取り付け位置を変えることによって、受液パウチ２の取り付け角度を自在に調整することができる。
【００４７】
このように、医師の身長や手術台の高さに合わせて、最適な高さに設定することができるため、受液パウチ２が最初から不潔野（医師の腰より低い位置、あるいは、手術台よりも低い位置）になることを予防でき、手術中に医師が受液パウチの位置を自在に直すことが可能となる。
【００４８】
また、手術の経過に応じて医師は、術野に対する立ち位置を変えたり、手術用医療機器を向ける角度を変えたり、患者の腕を動すことがあるが、これらの場合に受液パウチ２が障害とならないように受液パウチ２の取り付け高さおよび角度を自在に調整することができる。特に、内視鏡による手術は、内視鏡カメラの角度や位置を変えながら手術を行うが、この際に受液パウチ２が手術の妨げになることがなくなる。
【００４９】
さらに、受液パウチ２へ血液・体液および生理食塩水等の液体を確実に流し込ませるためには、例えば、受液パウチ２の中で手術が行われるようにすれば良いが、その際、考慮しなければならないのは、医師が手術を行う際に受液パウチ２が邪魔にならないようにすることである。前述した通り、受液パウチ２の取り付け高さと角度の調整により受液パウチ２が邪魔にならないようにすることは可能であるが、受液パウチ２の入口２１が大きければより邪魔になりにくい。これを実現するためには、２本平行に形成された襞部３の間隔を広く設定すれば良い。
【００５０】
具体的には、襞部３の間隔は、例えば、７００ｍｍもあれば、受液パウチ２２の好適な入口２１の大きさとすることができる。また、これに伴い受液パウチ２の入口２１自体の大きさも大きくする必要があるが、例えば、入口２１の長さ（円周）を２，１００ｍｍとした場合には、手前側の入口２１の長さは、１，４００ｍｍとなるので、好適な入口２１の大きさを確保することができ、受液パウチ２の液体回収機能を十分に発揮することができる。すなわち、このように受液パウチ２２の入口２１の長さと襞部３の間隔を確保すれば、ドレープ本体１に受液パウチ２を取り付けた際に、図３、図４に示す通り、受液パウチ２の手前側が不潔野に至らない範囲で下がり、この結果、手術の際に一層、受液パウチ２が邪魔になりにくいので、受液パウチ２の液体回収機能を十分に発揮することができる。
【００５１】
なお、上述のように、襞部３の間隔と前記手前側の入口２１の長さの比率は、１：２を例に挙げて説明したが、襞部３の間隔を１とすると、前記手前側の入口２１の長さの下限値としては、１．２以上２．４以下が好ましく、１．５以上２．１以下がさらに好ましく、１．６以上２．０以下が好適である。
【００５２】
また、大きい受液パウチ２を取り付けることによって、生理食塩水が貯まること等により重みが増大すると、受液パウチ２の取り付け箇所への負荷も大きくなるが、受液パウチ２の取り付け箇所は、襞部３であることから、従来のタグのように外れるおそれはなく、さらに、補強シート５を施しておくことによってドレープ本体１が破損するおそれも回避することができる。
【００５３】
このように、手術に合わせて受液パウチ２を最適位置に最適角度で取り付けることができる。すなわち、図３に示すように、肩９の関節を手術する場合には、肩９が腕を含めて図中、右下がりに傾斜するので、右下がりの傾斜に合わせて受液パウチ２の傾斜角度を調整することによって、受液パウチ２の液体回収効果を十分に発揮することができる。
【００５４】
襞部３は、受液パウチ２を取り付ける箇所として説明したが、例えば、電気メスのコードや廃液チューブ等を取り付ける箇所としても良い。
【００５５】
上述した例は、この発明の手術用ドレープをカーテン状に吊るして使用する場合であるが、患者に手術用ドレープを被せて使用する場合でも、同様な効果が得られる。
【００５６】
上述した例は、予め開窓部が設けられている手術用ドレープの場合であるが、開窓部が形成されていないドレープを複数枚、組合せて開窓部を作っても良い。すなわち、例えば、開窓部が形成されていないドレープ４枚、用意し、この内の２枚を間隔をあけて平行に患者に被せ、残りの２枚を既に被せた２枚のドレープと垂直に間隔をあけて被せる。このようにして、４枚のドレープの中央部に開窓部を形成した場合であっても、予め開窓部が設けられている手術用ドレープの場合と同様の効果が得られる。
【００５７】
以上、説明したように、この発明によれば、ドレープ本体１の術野側の面（Ａ）に上下方向に亘って、肩、肘あるいは膝等の関節を手術する際に使用する受液パウチ２を取り付けるための襞部３を形成することによって、受液パウチ２を鉗子等によって手術用ドレープに取り付けても、受液パウチ２を鉗子等によって手術用ドレープに直接、取り付ける場合のように、手術用ドレープに穴開きや破れ等の損傷を与えることなく、しかも、最適位置に容易かつ確実に取り付けることができる。
【００５８】
また、この発明によれば、襞部３を間隔を開けて２本平行に形成することによって、受液パウチ２を手術に合わせて最適角度で取り付けることができる。
【００５９】
また、この発明によれば、襞部３の幅を１ｃｍから１０ｃｍ、好ましくは、３ｃｍから７ｃｍの範囲内にすることによって受液パウチ２を容易かつ確実に取り付けることができる。
【００６０】
さらに、この発明によれば、襞部３をドレープ本体１の反術野側の面に補強シート５を貼り付ける等することにより補強することによって、手術用ドレープ内に多量の液体が溜まった場合であっても、その重量で手術用ドレープに穴開きや破れ等の損傷が生じるおそれを確実に回避することができる。
【符号の説明】
【００６１】
１：ドレープ本体
２：受液パウチ
３：襞部
４：開窓部
５：補強シート
６：鉗子
７：開口
８：開口
９：肩
１１：手術台
１２：患者
１３：手術用ドレープ
１４：開口
１５：肩
１６：受液パウチ
１７：開口
１８：液体
１９：排水口
２０：排出管
２１：入口
２２：形状保持バー
２３：手術用ドレープ
２４：開窓部
２５：ストッキネット
【図１】
2015002776.tif 000003
【図２】
2015002776.tif 000004
【図３】
2015002776.tif 000005
【図４】
2015002776.tif 000006
【図５】
2015002776.tif 000007
【図６】
2015002776.tif 000008
【図７】
2015002776.tif 000009